(57)【要約】      （修正有）【課題】回収を忘れにくく、携帯性に優れ、汎用性を備えた点検用タグを提供する。【解決手段】点検補助具は、５本の点検用タグ２をストラップ２の紐でまとめたものである。点検用タグは、係止部６と第１表示部７と第１結合部８からなる第一タグ本体部４と、第２結合部１５と第２表示部１６からなる第二タグ本体部５を有する。第１表示部７には磁石１３がある。第１表示部７と第２表示部１６は同一色であり、点検用タグごとに色が異なる。点検時、点検用タグから第一タグ本体部４を分離して機器に係止部６又は磁石１３で取り付ける。点検終了後、機器から第一タグ本体部４を取り外し、これと色が一致する第二タグ本体部５に結合させて一体化する。第一タグ本体部４の回収を忘れにくい。【選択図】図２
2018159771.tif 000002
【特許請求の範囲】
【請求項１】
結束具によって携帯可能な点検用タグであって、
点検対象に係止可能な係止部と、
磁石が設けられて前記係止部に連結された第１表示部と、
前記第１表示部に取り付けられた第１結合部と、
前記結束具が取り付けられて前記第１結合部に着脱可能に結合する第２結合部と、
を具備することを特徴とする点検用タグ。
【請求項２】
前記第２結合部には、前記第１表示部と同系の意匠が施された第２表示部が取り付けられていることを特徴とする請求項１に記載の点検用タグ。
【請求項３】
前記係止部は、環部と、前記環部の一部を開閉する開閉部から構成されていることを特徴とする請求項１又は２に記載の点検用タグ。
【請求項４】
複数個の点検用タグを結束具によって携帯可能に集合させた点検補助具であって、
前記点検用タグは、
点検対象に係止可能な係止部と、
磁石が設けられて前記係止部に連結された第１表示部と、
前記第１表示部に取り付けられた第１結合部と、
前記結束具が取り付けられて前記第１結合部に着脱可能に結合する第２結合部と、
を具備することを特徴とする点検補助具。
【請求項５】
前記第２結合部には前記第１表示部と同系の意匠が施された第２表示部が取り付けられており、前記点検用タグごとに前記意匠が異なることを特徴とする請求項４に記載の点検補助具。
【請求項６】
請求項５に記載の点検補助具を携帯して行う点検方法であって、
複数個の前記点検用タグを複数の点検対象に対応させ、
前記点検対象ごとに、対応する前記点検用タグの前記第１結合部と前記第２結合部を分離して、前記第１表示部を前記点検対象に取り付け、
点検終了後に、前記点検対象に取り付けられた前記第１表示部を回収し、回収した前記第１表示部と前記意匠が同一であり前記結束具に取り付けられた前記第２表示部の前記第２結合部に、回収した前記第１表示部の前記前記第１結合部を結合することを特徴とする点検方法。
【発明の詳細な説明】
【技術分野】
【０００１】
本発明は、機器等に取り付けて当該機器等が点検中であることを表示する点検用タグと、複数の点検用タグをとりまとめて便利に持ち運びできるようにした点検補助具、さらにこの点検補助具を用いた機器等の点検方法に係り、特に携帯性に優れ、設置が容易であり、点検終了後に忘れずに回収できる点検用タグ等の発明に関するものである。
【背景技術】
【０００２】
従来、設備機器等の保守作業における点検の為に、当該設備機器等について一時的な安全処置や停止操作等の作業を行うため、当該設備機器又は点検操作を行う場所に点検中である旨を表示する表示プレートを掲示する場合があった。この表示プレートは再利用可能であり、点検終了後には回収することとなっていた。下記特許文献１には、このような目的で使用される表示プレートの発明として、エレベーターの点検表示装置に関する考案が開示されている。この点検表示装置は、エレベーターが保守点検中であることの案内表示をした表示プレートに点字による案内表示を設けたものであり、エレベーターが保守点検中であることを目の不自由な人が容易に知ることができる効果が得られる。
【先行技術文献】
【特許文献】
【０００３】
【特許文献１】実開昭６１−１３０５５７号公報
【発明の概要】
【発明が解決しようとする課題】
【０００４】
上述したエレベーターの点検表示装置のような表示プレートは、点検終了後に回収することになっていたとしても、つい忘れがちとなる。また、同時に点検する機器等が複数ある場合には、その数量分だけ表示プレートを用意する必要があり、作業上の利便性を考慮すると携帯性に優れたものであることが望ましい。さらに、点検対象となる機器は多種多様であるため、その形状、構造、材質等に係わらず、表示プレートは機器用に対して容易に着脱できる形状、構造であることが好ましい。
【０００５】
本発明は、以上説明した従来の技術における課題を解決することを目的としており、従来の点検中プレートと比較して点検後の回収を失念しにくく、また携帯性に優れるため作業上の利便性が高く、さらにまた多種多様な取り付け対象に対して容易に着脱できる汎用性も備えた点検用タグと、このような点検用タグを複数個取りまとめて作業員が携帯できる点検補助具と、さらにこの点検補助具を用いて行う点検方法を提供することを目的としている。
【課題を解決するための手段】
【０００６】
請求項１に記載された点検用タグは、
結束具によって携帯可能な点検用タグであって、
点検対象に係止可能な係止部と、
磁石が設けられて前記係止部に連結された第１表示部と、
前記第１表示部に取り付けられた第１結合部と、
前記結束具が取り付けられて前記第１結合部に着脱可能に結合する第２結合部と、
を具備することを特徴としている。
【０００７】
請求項２に記載された点検用タグは、請求項１に記載の点検用タグにおいて、
前記第２結合部には、前記第１表示部と同系の意匠が施された第２表示部が取り付けられていることを特徴としている。
【０００８】
請求項３に記載された点検用タグは、請求項１又は２に記載の点検用タグにおいて、
前記係止部は、環部と、前記環部の一部を開閉する開閉部から構成されていることを特徴としている。
【０００９】
請求項４に記載された点検補助具は、
複数個の点検用タグを結束具によって携帯可能に集合させた点検補助具であって、
前記点検用タグは、
点検対象に係止可能な係止部と、
磁石が設けられて前記係止部に連結された第１表示部と、
前記第１表示部に取り付けられた第１結合部と、
前記結束具が取り付けられて前記第１結合部に着脱可能に結合する第２結合部と、
を具備することを特徴としている。
【００１０】
請求項５に記載された点検補助具は、請求項４に記載の点検補助具において、
前記第２結合部には前記第１表示部と同系の意匠が施された第２表示部が取り付けられており、前記点検用タグごとに前記意匠が異なることを特徴としている。
【００１１】
請求項６に記載された点検方法は、請求項５に記載の点検補助具を携帯して行う点検方法であって、
複数個の前記点検用タグを複数の点検対象に対応させ、
前記点検対象ごとに、対応する前記点検用タグの前記第１結合部と前記第２結合部を分離して、前記第１表示部を前記点検対象に取り付け、
点検終了後に、前記点検対象に取り付けられた前記第１表示部を回収し、回収した前記第１表示部と前記意匠が同一であり前記結束具に取り付けられた前記第２表示部の前記第２結合部に、回収した前記第１表示部の前記前記第１結合部を結合することを特徴としている。
【発明の効果】
【００１２】
作業員は、本発明の点検補助具を携帯して作業を行う。この点検補助具は複数の点検タグを結束具で一まとめにして持ち運べる携帯性があり、作業上便利である。作業員は、点検対象である機器の位置にくると、当該機器と対応関係にある点検用タグを選択し、結束具が取り付けられた当該点検用タグの第２結合部から第１結合部を外し、当該点検用タグの第１表示部を分離する。この第１表示部を、当該対象である当該機器に取り付ける。この際、第１表示部は、環部の一部が開閉できる係止部で機器に引っ掛ける方法と、磁石で機器に磁着させる方法の何れかを選べるという汎用性がある。すなわち、第１表示部は多種多様な形状、構造、材質の機器に取り付けることができる。点検が終了すると、作業員は、機器から第１表示部を取り外して回収し、結束具に取り付けられた当該点検用タグの第２結合部に、第１表示部の第１結合部を結合させて一体化する。このように第１表示部の回収を行うに際しては、機器に取り付けられていた第１表示部と、手元の結束具に残った第２表示部とを、意匠が同一か否かで目視で容易に照合することができる。また、使用後の第１表示部を回収していない場合には、結束具で一まとめにした複数の点検タグ中で第１表示部が結合されていない点検タグが目立つため、点検後に第１表示部の回収を忘れにくい。
【図面の簡単な説明】
【００１３】
【図１】実施形態の点検補助具の斜視図である。
【図２】分図（ａ）は分離した実施形態の点検用タグの斜視図であり、分図（ｂ）は結合状態にある実施形態の点検用タグの正面側から見た斜視図であり、分図（ｃ）は結合状態にある実施形態の点検用タグの背面側から見た斜視図である。
【図３】実施形態の点検用タグにおける第１結合部と第２結合部の結合動作を示す図である。
【図４】実施形態の点検用タグの第１表示部を機器に取り付けた第１の状態を示す図である。
【図５】実施形態の点検用タグの第１表示部を機器に取り付けた第２の状態を示す図である。
【発明を実施するための形態】
【００１４】
本実施形態は、機器等の保守作業等において、当該機器等が点検中であることを表示する「点検用タグ」と、保守作業員が、複数の点検用タグをストラップ等の結束具で一まとめに集合させてとして携帯可能とし、必要時には点検用タグの表示機能部分をワンタッチの手作業で分離して機器等に容易に取り付けられる構造とした「点検補助具」に関するものである。
【００１５】
図１は、結束具であるストラップ１の紐１ａによって複数個の点検用タグ２を携帯可能に取りまとめた点検補助具３を、ストラップ１で吊り下げた状態を示す斜視図であり、図２は点検補助具３の紐１ａから取り外した１個の点検用タグ２を示す斜視図である。
【００１６】
図１及び図２に示すように、点検用タグ２は、第一タグ本体部４と第二タグ本体部５から構成されている。
第一タグ本体部４は、係止部６と、第１表示部７と、第１結合部８から構成されている。
係止部６は、機器等の一部に対して引っ掛けて取り付けるための第１の取り付け手段である。本実施形態の係止部６は、環部９と開閉部１０から構成されるカラビナ構造である。すなわち、環部９は、点検対象に係止可能なフック状構造であり、開閉部１０は、前記環部９の開放された一部を常時閉止するよう付勢されて設けられており、力を加えると開くことができる。この係止部６は、単なる鉤形形状のフックであってもよい。
【００１７】
第１表示部７は布等の可撓性材料からなる帯状部材である。第１表示部７の一端部は、係止部６の環部９に取り付けられている。第１表示部７の表面側（図２（ａ）、（ｂ）において手前側）には、係止部６と隣接する一端部に通し番号１１が記載されており、一端部以外の部分には点検中であることを示す表示文１２が記載されている。通し番号１１は、図１では最も手前の点検用タグ２の通し番号「１」が見えている。点検用タグ２ごとに異なった通し番号が振られており、奥に向けて順次番号が増えて「５」まである。表示文１２は、本実施形態では「点検中操作禁止」との内容になっている。係止部６に隣接する第１表示部７の一端部の内部、すなわち通し番号１１が書いてある部分には、機器等に対する第２の取り付け手段として、磁石１３が埋め込まれている。
なお、第１表示部７の全体または一部自体が磁石であってもよいし、第１表示部７に磁石１３を設ける代わりに前記係止部６を磁石で構成してもよい。
【００１８】
図３に示すように、第１結合部８は、後述する第二タグ本体部５の第２結合部１５と組になり、ワンタッチで着脱できる連結手段としての差し込みバックルを構成している。第１結合部８は第１表示部７の他端部に取り付けられている。第１結合部８は、二股状に分岐しためす部材の内部が空洞となっており、詳細は図示しないが、その上端は挿入口として開口されており、また左右両側面は係合孔として開口している。
【００１９】
第二タグ本体部５は、第２結合部１５と第２表示部１６から構成されている。
第２結合部１５は、前述した第１結合部８と組になり、ワンタッチで着脱できる連結手段としての差し込みバックルを構成している。図３に示すように、第２結合部１５は、三叉状に分岐したおす部材であり、左右両側のアーム１５ａが板ばねになっている。
【００２０】
図３（ａ）に示すように、矢印の方向に沿って第２結合部１５を第１結合部８に挿入する。図３（ｂ）に示すように、第２結合部１５のアーム１５ａが矢印で示すように内方に押し込まれて弾性変形する。第２結合部１５をさらに押し込むと、第１結合部８のめす部材の係合孔にアーム１５ａが嵌まり込んで外方に形状復帰し、図３（ｃ）に示すように、第１結合部８と第２結合部１５が互いに結合される。結合を解除する場合には、図３（ｃ）の状態において、第１結合部８の左右の係合孔から突出している第２結合部１５の左右のアーム１５ａを指で内方に押し込みつつ、第１結合部８と第２結合部１５を相対的に引き離せば、両者を分離することができる。以上の説明では、第２結合部１５を第１結合部８に挿入するものとして説明したが、第１結合部８を動かして第２結合部１５に嵌合することとしてもよい。
【００２１】
この第２結合部１５には、開口部１７が設けられている。図１に示すように、点検用タグ２の開口部１７は、ストラップ１の紐１ａを通して複数の点検用タグ２を束ねるための貫通穴である。
【００２２】
第２結合部１５には、第２表示部１６が取り付けられている。第２表示部１６は、第１表示部７と同等の材料を用いて作成した短い帯状部材である。第２表示部１６には、第１表示部７と同系統の意匠が施されており、第２表示部１６の表面側には、対応する第１表示部７と同じ通し番号１１が記載されている。この意匠と通し番号１１により、第一タグ本体部４と第二タグ本体部５が着脱すべき対応関係にあることが明らかになる。また、紐１ａによってまとめられた点検補助具３の各点検用タグ２ごとに、第１及び第２表示部７，１６の意匠を異なるものとすることで、何れの意匠の点検用タグ２が使用中なのか、又は通し番号１１が何番の点検用タグ２が使用中なのかを、視覚的に容易に把握することができ、回収忘れを防止することができる。なお、ここで意匠とは、表示部に付す青、緑、黄、橙、桃等の色彩、模様、またはこれらの結合、もしくは表示部それ自体の形状を意味する。この例では、第１表示部７と第２表示部１６は、長短の帯状であったが、その帯の幅を異ならせたり、特定の点検用タグ２については紐状としたりして、区別可能な異なる意匠とすることができる。
【００２３】
なお、以上説明した第一タグ本体部４の第１結合部８と、第二タグ本体部５の第２結合部１５は、差し込みバックルのような連結手段を構成していたが、連結構造はバックル式に限らず、面ファスナーやその他の連結構造でもよい。
【００２４】
図１に示すように、以上説明した点検用タグ２を５個揃え、各点検用タグ２の第２結合部１５の開口部１７に紐１ａを通して取りまとめ、紐１ａの両端をストラップ１の金具１ｂに結合すれば、点検補助具３となる。この点検補助具３は、保守作業員のベルト等に通して携行することができるため、取り扱いがし易い。さらに、５個の点検用タグ２の磁石１３が互いに吸着して一体化するので、持ち運ぶ際に個々の点検用タグ２がぶつかり合って無用な音を立てることもない。
【００２５】
次に、以上説明した点検補助具３を用いて行う機器等の点検作業について説明する。
作業員は、本発明の点検補助具３を携帯して作業を行う。この点検補助具３は複数の点検用タグ２を整然とした状態で一まとめにして持ち運べる携帯性があり、作業上便利である。作業員は、点検対象である機器の位置にくると、当該機器と対応関係にある点検用タグ２を選択し、当該点検用タグ２の第２結合部１５から第１結合部８を外し、当該点検用タグ２の第一タグ本体部４を分離する。この第一タグ本体部４を、当該対象である当該機器に取り付ける。
【００２６】
図４は、第一タグ本体部４の第１表示部７に設けられた磁石１３を機器２０の鉄製の部分に磁着させて取り付けた状態を示している。図示の状態では、第１表示部７の表面側を機器２０の板面に向けて取り付けている。第１表示部７は折れ曲がって図示手前側に垂れ下がり、第１表示部７の「点検中操作禁止」との表示文１２が視認できる。このような取り付け態様とは逆に、第１表示部７の裏面側を機器２０の板面に向けて取り付けてもよい。この場合には、係止部６を上とし、第１表示部７が鉛直方向に沿う姿勢で機器２０に磁着させて取り付けるとよい。このようにすれば、第１表示部７の表示文１２が表になり、上方に位置する係止部６が手前に垂れ下がって第１表示部７の前にくるが、係止部６の環部９を通して表示文１２は見えるからである。
【００２７】
図５は、第一タグ本体部４の係止部６を、機器２０に設けられた開放部のないハンドル２１に引っ掛けて取り付けた状態を示している。すなわち、このハンドル２１は、上側の両端部が仮想的に切断してあるが、実際には前記両端部は機器２０の本体に連結されており、ハンドル２１は閉ループを構成している。従って引っ掛けは係止部６の開閉部１０を開いて行う。図示の状態では、第１表示部７が鉛直方向に垂れ下がっており、「点検中操作禁止」との表示文１２が視認できる。このような取り付け態様とは異なり、機器２０に単なる突起部があるときは、開閉部１０を開くことなく、係止部６を突起部に引っ掛けて取り付ければよい。
【００２８】
このように、実施形態の点検用タグ２は、環部９の一部が開閉できる係止部６で機器２０に引っ掛けたり、磁石１３で機器２０に磁着させて取り付けることができる取り付けの汎用性がある。すなわち、第１表示部７は多種多様な形状、構造、材質の機器に取り付けることができる。
【００２９】
点検が終了すると、作業員は、機器２０から第一タグ本体部４を取り外して回収し、ストラップ１の紐１ａに取り付けられた当該点検用タグ２の第二タグ本体部５の第２結合部１５に対し、第一タグ本体部４の第１結合部８を結合して一体化する。このように第一タグ本体部４の回収を行うに際しては、機器２０に取り付けられていた第一タグ本体部４の第１表示部７と、手元のストラップ１に残った第二タグ本体部５の第２表示部１６とを、意匠が同一か否かを指標として目視で容易に照合することができる。また、点検終了後に第一タグ本体部４を回収していない場合には、ストラップ１の紐１ａで一まとめにした複数の点検用タグ中で第一タグ本体部４が結合されていない点検用タグが目立つため、点検後に第一タグ本体部４の回収を忘れにくいという効果がある。
【００３０】
１…結束具としてのストラップ
１ａ…結束具であるストラップの紐
２…点検用タグ
３…点検用補助具
４…第一タグ本体部
５…第二タグ本体部
６…係止部
７…第１表示部
８…第１結合部
９…第１結合部の環部
１０…第１結合部の開閉部
１１…通し番号
１２…表示文
１３…磁石
１５…第２結合部
１６…第２表示部
１７…開口部
２０…点検用タグの取り付け対象である機器
２１…点検用タグの取り付け対象である機器の一部としてのハンドル
【図１】
2018159771.tif 000003
【図２】
2018159771.tif 000004
【図３】
2018159771.tif 000005
【図４】
2018159771.tif 000006
【図５】
2018159771.tif 000007